(57)【特許請求の範囲】
【請求項１】
複数色の蛍光体により形成されたスクリーンを有するパネルと、インライン配置された複数の陰極部と、前記陰極部より射出され前記スクリーン側へ向かう複数の電子ビームの進路上に互いにギャップを介して配列され水平走査方向に長い扁平な筒状をなした筒状電極を有する電子銃を備えたカラー受像管装置であって、
前記筒状電極は、前記複数の電子ビームに共通な開孔と、前記開孔の設けられた端部から後退した位置に一主面が前記ギャップに対向するように備えられた補正電極板と、前記補正電極板に設けられた複数のビーム通過孔を有し、主レンズ電界を形成し、
少なくとも一つの前記筒状電極の前記補正電極板には、前記ビーム通過孔を垂直方向から挟み込む状態で、水平方向及び前記主レンズ電界が形成されるギャップに向かう方向に伸びる一対の衝立状電極板が設けられている
ことを特徴とするカラー受像管装置。
【請求項２】
前記衝立状電極が設けられた前記補正電極を有する前記筒状電極が、スクリーン側にある最終電極を含む
ことを特徴とする請求項１に記載のカラー受像管装置。
【請求項３】
前記衝立状電極が設けられた前記補正電極を有する前記筒状電極が２つ以上の場合、前記最終電極以外が、前記最終電極の陰極側に位置する集束電極を含む
ことを特徴とする請求項２に記載のカラー受像管装置。
【請求項４】
前記最終電極の前記スクリーン側に備えられたシールドカップの底面が前記最終電極の内部に突き出して形成されることにより、前記底部が前記補正電極板として機能する
ことを特徴とする請求項２又は３に記載のカラー受像管装置。
【発明の詳細な説明】
【０００１】
【発明の属する技術分野】
本発明は、カラー受像管装置に関し、特に、複数本の電子ビームをスクリーン上に集束させるための主レンズを構成する電極に関する。
【０００２】
【従来の技術】
一般にカラー受像管装置は、パネル及びこのパネルに一体に接合されたファンネルからなる外囲器を有し、ファンネルのネック内に配置された電子銃から放出される３本の電子ビームが、ファンネルの外側に装着された偏向装置の発生する水平及び垂直偏向磁界により偏向され、水平垂直走査しながらパネル内面のシャドウマスクに対向して形成された蛍光体スクリーンに射出することにより、カラー画像を表示するように形成されている。
【０００３】
このようなカラー受像管装置に用いられる偏向装置の磁界は、一般に、３本の電子ビームを画面上で集中させるセルフコンバーゼンス構成をなしており、このために水平方向磁界はピンクッション状に、垂直偏向磁界はバレル状に歪んでいる。このため、偏向磁界を通過する３本の電子ビームは水平方向で発散作用を、そして、垂直方向では集束作用をそれぞれ受ける。
【０００４】
偏向角度が増すに伴い電子ビーム軌道が長大化すると、前記のようなセルフコンバーゼンス磁界のため、特に蛍光体スクリーン面の周辺部において上記非点収差が顕著に現れ、電子ビームスポットが水平方向に長軸を置く横長扁平状の断面形状となって水平解像度が低下するという課題がある。この課題は、近年のようなパネルのフラット化、偏向角の拡大化により、ますます顕著になっている。
【０００５】
そのため、蛍光体スクリーン面上で解像度の高い画像を描くためには、子銃によって予め水平方向のスポット径を小さくする必要がある。
この要請に応えるための一つの試みとして、電子銃を構成する集束電極にダイナミック電圧を印加するという技術が知られている。これは、最終電極に最も近くに対向して位置する集束電極に偏向量が増えるに連れて増加する電圧を印加するというもので、これにより、主レンズ電界による作用を偏向量が増すに連れて弱め、非点収差を補正しビームスポット形状を制御する技術である。
【０００６】
このようなダイナミック電圧技術の応用として、印加するダイナミック電圧をより低い値で済ますことができるよう、電極のビーム通過孔の形状及び向きを調整し、かつ各電極に印加する電圧の条件を規定する技術が特許第３０４０２７２号に提案されている。
ところで、一般にカラー受像管装置におけるスポット径は、電子銃の主レンズ電界での球面収差が少ないほど小さくすることができる。電子ビームの主レンズ電界への入射角度をαとすると、主レンズ電界の中で最も優勢な球面収差が寄与するスポット径δは、
δ＝（M・CｓP・α3）／２
と表される。ここで、Mはレンズ倍率、CｓPは球面収差係数である。この式からも窺い知ることができるように、主レンズ電界によるレンズ作用を弱めると、球面収差が低減される。すなわち、主レンズ電界によるレンズ口径を実効的に大きくすることで、蛍光体スクリーン上のスポット径を小さくすることが可能となる。
【０００７】
この考え方を電極構造によって実現したものとして特公平２−１８５４０号公報に開示されたＯＬＦ（Ｏｖｅｒ  Ｌａｐｐｉｎｇ  Ｆｉｅｌｄ）レンズがある。その電極構成を図１３に示す。
図１３に示すように主たる電極を、管軸方向に互いに間隔をおいて設けられた集束電極１０１、最終加速電極１０２と、最終加速電極１０２に接続されたシールドカップ１０３とで構成する。
【０００８】
集束電極１０１と最終加速電極１０２は、それぞれ３本の電子ビームを取り囲む水平方向走査方向に長い扁平な筒状をなした筒状外周電極１０１Ａ、１０２Ａと、筒状外周電極同士の対向端面から後退させた位置に、電子ビームがほぼ垂直に通過するように配置された３つの孔１０１Ｂ１、１０１Ｂ２、１０１Ｂ３が開口された補正電極板１０１Ｂ、１０２Ｂ１、１０２Ｂ２、１０２Ｂ３が開口された補正電極板１０２Ｂからなる。この補正電極板１０１Ｂ、１０２Ｂは、３本の電子ビームそれぞれに対応した３つの主レンズ電界を生成する役割を担うものである。
【０００９】
このように主レンズ電界を形成する集束電極１０１と最終加速電極１０２の筒状外周電極１０１Ａ、１０２Ａの内部に配置された補正電極板１０１Ｂ、１０２Ｂを内方に後退させることによって、集束電極１０１内部に最終加速電極１０２の高電位が深く侵入され、かつ、最終加速電極１０２内部に集束電極１０１の低電位が深く侵入させられることになる。この結果、主レンズ電界によるレンズ口径が実効的に拡大され、蛍光体スクリーン上のスポット径を縮小することができる。
【００１０】
【特許文献１】
特許第３０４０２７２号
【００１１】
【特許文献２】
特公平２−１８５４０号
【００１２】
【特許文献３】
特開平８−２２７８０号
【００１３】
【発明が解決しようとする課題】
ここで、上記ＯＬＦレンズを構成する電極構成においてダイナミック電圧技術を適応し、さらに、そのダイナミック電圧を低い値で済ませようとする場合、ビーム通過孔の形状及び向きを調整し電極に与える電圧値を規定する方法では、ビーム通過孔を全ての諸特性を満足するような最適設計とすることが難しく、設計上の限界があり実現性に乏しい。
【００１４】
本発明は、ＯＬＦレンズにダイナミック電圧技術を組み合わせた場合、そのダイナミック電圧を容易に低減することを可能とする電子銃を備えたカラー受像管を提供することを目的とする。
【００１５】
【課題を解決するための手段】
上記目的を達成するために、本発明は、複数色の蛍光体により形成されたスクリーンを有するパネルと、インライン配置された複数の陰極部と、前記陰極部より射出され前記スクリーン側へ向かう複数の電子ビームの進路上に互いにギャップを介して配列され水平走査方向に長い扁平な筒状をなした筒状電極を有する電子銃、を備えたカラー受像管装置であって、前記筒状電極は、前記複数の電子ビームに共通な開孔と、前記開孔の設けられた端部から後退した位置に一主面が前記ギャップに対向するように備えられた補正電極板と、前記補正電極板に設けられた複数のビーム通過孔を有し、主レンズ電界を形成し、少なくとも一つの前記筒状電極の前記補正電極板には、前記ビーム通過孔を垂直方向から挟み込む状態で、水平方向及び前記主レンズ電界が形成されるギャップに向かう方向に伸びる一対の衝立状電極板が設けられていることを特徴とする。
【００１６】
これによれば、補正電極板を備えこれに衝立状電極板を設けるという、設計上困難性を伴わない手法によって、従来のレンズ系に加えて衝立状電極板の付加による補助レンズを形成し、この補助レンズにより、主レンズにおいて水平方向と垂直方向での集束力の差を拡大させることになり、その結果、ダイナミック電圧をよりいっそう低減させることが可能となる。
【００１７】
ここで、前記衝立状電極が設けられた前記補正電極を有する前記筒状電極が、スクリーン側にある最終電極を含むことを特徴とする。
このように最終電極内に補正電極板および衝立状電極板を設けることで、電子銃内の最もスクリーン側で補助レンズを形成し、効率的に主レンズの水平方向と垂直方向の集束力の調整が図れる。
【００１８】
ここで、前記衝立状電極が設けられた前記補正電極を有する前記筒状電極が２つ以上の場合、前記最終電極以外が、前記最終電極の陰極側に位置する集束電極を含むことを特徴とする。
これにより、球面収差を弱めたり、二重四極レンズの効果を向上させることが可能となる。
【００１９】
ここで、前記最終電極の前記スクリーン側に備えられたシールドカップの底面が前記最終電極の内部に突き出して形成されることにより、前記底部が前記補正電極板として機能することを特徴とする。
このようにすれば、シールドカップを筒状部に嵌め込むと同時にその内部へ補正電極を配置することができるので、電子銃の組立を容易に行うことができる。
【００２０】
【発明の実施の形態】
[実施の形態１]
以下、本発明に係る実施形態のカラー受像管１について図面を参照しながら具体的に説明する。
図１は、カラー受像管１の構成を示す水平走査方向への断面図である。
【００２１】
この図に示すように、前記カラー受像管１は、多数の電子ビーム通過孔の形成されたシャドウマスク１１と対向するように、Ｒ（赤色）、G（緑色）、B（青色）３色の蛍光体が裏面に各層状に塗布されたスクリーン１２を備えた受像管１０と、前記受像管１０のネック部１３の基端側より挿入されたインライン型電子銃２０とから構成されている。そして、インライン型電子銃２０より放出されたＲＧＢ各色に対応した３本の電子ビーム３０Ｒ、３０Ｇ、３０Bそれぞれはネック部１３とファンネル部の拡径部１４との境界面その表面に沿って設けられた偏向コイル１５によって惹起される偏向磁界の中を通過して垂直・水平方向に所定量偏向されスクリーン１２上の所定の位置に焦点される。
【００２２】
上記インライン型電子銃２０の構造の詳細について説明する。
図２は、前記インライン型電子銃２０の斜視図であり、図３は、内部構成をより詳細に示す上面図である。
この図に示すように、インライン型電子銃２０は、３組のインライン配置された陰極２１と、これを収納する格子電極２２と、加速電極２３と、集束電極２４と、集束電極２５と、集束電極２６と、集束電極２７と、最終加速電極２８と、シールドカップ２９とからなる。各電極には電子ビームの生成・加速・集束を行うための電界を形成させる電圧が、電極間に所定の電位差を生じさせるように所定量印加される。そして、３本の電子ビームが径の大きさ・その軌道を制御されながら所定の方向へと射出される。
【００２３】
詳しくは、陰極２１から電子ビームが生み出され、陰極２１、格子電極２２及び加速電極２３によって、電子ビームのエネルギー量（電流量）を制御する。次いで、加速電極２３と集束電極２４との間にプリフォーカスレンズ電界が生成され、後の主レンズ電界に入射する電子ビームの発散角を調整している。集束電極２４、２５、２６はユニポテンシャル型であり、前記プリフォーカスレンズ電界による電子ビームの予備集束を補助する作用を果たしている。
【００２４】
集束電極２７と最終加速電極２８とで以下に述べるように主レンズ電界を構成し、係る主レンズ電界で発散角を最終調整されたものが偏向コイルによって生成されている偏向磁界に向かって射出されることになる。
集束電極２７と最終加速電極２８は、それぞれ３本の電子ビームを、取り囲む水平走査方向に長い扁平な筒状をなした筒状外周電極２７A、筒状外周電極２８Aと、筒状外周電極２７A及び筒状外周電極２８Aの対向端面から後退させた位置に、電子ビームがほぼ垂直に通過するように配置された３つの孔２７B１、２７B２、２７B３が開口された補正電極板２７B、電子ビームがほぼ垂直に通過するように配置された３つの孔２８B１、２８B２、２８B３が開口された補正電極板２８Bからなる。この集束電極２７と最終加速電極２８は、電子銃の主レンズ電界を生成する役割を担うものである。
【００２５】
このように主レンズ電界を形成する集束電極２７と最終加速電極２８の筒状外周電極２７A及び筒状外周電極２８Aの内部に配置された補正電極板２７B、補正電極板２８Bを内方に後退させることによって、集束電極２７内部に最終加速電極２８の高電位（図中Ｖａ）が深く侵入され、かつ、最終加速電極２８内部に集束電極２７の低電位（図中Vfoc2）が深く侵入させられることになる。また、特に最終加速電極に関しては、内部にこの補正電極板を有していることにより、補正電極板を有さない場合に比べて、外周電極２８Ａの集束電極側端部に近い位置に３つ孔が配置されることになる。このため、内部に補正電極板を有さない場合に比べて、３つの電子ビーム通過孔が作る3つのレンズにおいてセンターレンズとサイドレンズとのピッチが大となる（逆に、補正電極板を有さない場合は、３つの電子ビーム通過孔は、シールドカップに形成されたものだけからなり、外周電極２８Ａの集束電極側端部から遠くに位置することになるため、外周電極内で３つのレンズの径が大きくなりレンズ中心が近寄ることでピッチが小さくなる）。このようにセンターレンズとサイドレンズとのピッチが大きくなると、その分、シャドウマスクとスクリーンとの距離を短くすることができ、これにより、地磁気によるビームずれ移動を生じにくくすることができる、という利点もある。
【００２６】
上記構成において、集束電極２４及び集束電極２６には電位Ｖfoc1が印加され、集束電極２７にはダイナミック電圧Ｖfoc2が印加される。Ｖfoc1は固定的であり、Vfoc2は電子ビームの偏向量に応じて増加され、両者の関係は偏向量がゼロ（偏向されない）の場合には、Ｖfoc1＞Ｖfoc2に設定されてある。これにより、主レンズ電界による作用を偏向量が増すに連れて弱めることによって、非点収差を補正しビームスポット形状を制御することが可能となる。そして、更に、このようにダイナミック電圧をＶfoc1＞Ｖfoc2の状態から制御することにより、ダイナミック電圧の低減を図ることが可能となる。なお、この方法については特許第３０４０２７２号公報に詳しく記載されているところである。
【００２７】
以下に補正電極板２８Ｂの構成図を図４に示す。この図に示すように補正電極板２８Ｂは、外周電極２８Ａの開口形状と相似形状の水平走査方向に長い扁平な板体に３つの円状の孔が設けられたものである。
そして、この補正電極板には電極４０、４１が衝立状に導電可能に取着されている（この電極を衝立状電極板と呼ぶ）。この衝立状電極板４０、４１は、図２及び図３に示すように、水平走査方向に互いに平行に伸び電子ビーム通過孔を挟み込むように配置されている。また、集束電極２７及び最終加速電極２８との対向部分に形成されたギャップＧａｐ側に突き出すように、このギャップ側に面する面側に設けられる。
【００２８】
このように衝立状電極板がギャップ側に突き出すように配置されることで、主レンズにおいて、水平方向と垂直方向での集束力の差（これをＨＶ差と称する）を拡大させることができ、これにより、ダイナミック電圧の値を低減させることができる。ここにおいて、ダイナミック電圧を印加することにより、ＨＶ差が拡大しレンズ作用が弱まる。主レンズを構成する電界やスポットの歪みを直接的に感度良く改善できるという作用効果も有する。
【００２９】
ここで、図６は、衝立状電極板４０、４１を設けない場合の主レンズ電界によるレンズモデルを示す図であり、この中で（ａ）は水平断面（水平走査方向）を（ｂ）に垂直断面（垂直走査方向）のレンズモデルを示す。
この図に示すように、主レンズは、水平方向と垂直方向で集束力が異なり、前述のとおり、この集束力の差つまりＨＶ差を大きく設定することがダイナミック電圧を低減させる上で重要となる。
【００３０】
このレンズモデルでは、６０、６１、６２が主レンズ電界による主レンズであり、水平方向では集束作用の強い凸レンズであり、垂直方向ではこれよりも集束作用の弱い凸レンズを構成している（レンズ作用の強弱はレンズの厚みで図示してある）。そして、スクリーン上に焦点させるには、かかる水平及び垂直方向で生じるレンズ作用の差を補うように主レンズの陰極側、つまり、電子ビームの速度が比較的遅い電子ビーム位置にレンズ６３、６４、６５を別途形成する。このレンズは、水平方向では発散作用の強い凹レンズを、垂直方向では集束作用の強い凸レンズを構成する４極レンズである。
【００３１】
図５は、衝立状電極板４０、４１を設けた本実施形態の場合の主レンズ電界によるレンズモデルを示す図であり、この中で（ａ）は水平断面（水平走査方向）を（ｂ）に垂直断面（垂直走査方向）のレンズモデルを示す。
この図に示すように、衝立状電極板により補助レンズが付加されており、このものも主レンズとして機能していると考えられる。
【００３２】
具体的には、このレンズモデルでは、５０、５１、５２が主レンズ電界による主レンズの一つであり、水平方向では集束作用の強い凸レンズであり、垂直方向では集束作用を有する凸レンズを構成している。そして、更に、レンズ５０、５１、５２に加えて衝立状電極板の付加による補助レンズ５３、５４、５５が付加形成されている。このレンズは、水平方向では集束作用の強い凸レンズであり、垂直方向では発散作用を有する凹レンズを構成する４極レンズである。そして、スクリーン上に焦点させるには、かかる水平及び垂直方向で生じるレンズ作用の差を補うように主レンズの陰極側、つまり、電子ビームの速度が比較的遅い位置で、水平方向では発散作用の強い凹レンズを、垂直方向では集束作用の強い凸レンズを構成する４極レンズ５６、５７、５８が形成される。
【００３３】
以上のことから明らかなように、本実施形態のように衝立状電極板を設けることによって、補助レンズが付加されたぶんＨＶ差が増大されることになる。その結果、従来のもの（衝立状電極板のないもの）と比べてダイナミック電圧を低減させることができる。
ここで、補正電極板に衝立状電極板を設けることによりHV差が増大されることについて具体例を挙げる。図７に、補正電極板からの衝立状電極板の高さの変化に対するHV差（ここでは、水平方向フォーカス電圧と垂直方向フォーカス電圧の差を示す）の変化を示す。衝立状電極の高さが０.０のとき、つまり従来技術のように補正電極板があって衝立状電極板がない場合のHV差は１４００Vであるのに対して、衝立状電極板を取り付けてその高さを高くしていくほど、HV差が高くなる。
【００３４】
図８は、HV差を変化させたときの、ダイナミック電圧の変化と、水平スポット径の変化を示す図である。HV差を高くすると、ダイナミック電圧を低減することができ、その分の耐圧強度を低くできるため回路の簡素化やコスト低減が期待できる。しかし、HV差を変化させると水平スポット径も変化し、水平スポット径は、HV差を高くすると一旦小さくなるもののあるHV差付近からまた大きくなってしまうので、この水平スポット径が最小になる付近のHV差とすることが望ましい。本実施の形態で挙げた電子銃では、HV差が３０００V付近で水平スポット径が最も小さい。
【００３５】
このことにより、本実施の形態では、HV差を３０００Vとするよう、衝立状電極の高さを０.５ｍｍ程度としている（図７参照）。このようにすることにより、ダイナミック電圧、水平スポット径ともに、従来技術より小さい値とすることができる。なお、参考までに他の部分の寸法を挙げると、本実施の形態の電子銃において、衝立状電極が設けられた補正電極板を有する筒状電極の管軸方向長さは７．０ｍｍ、そのスクリーン側端部から補正電極板までの管軸方向長さは４．６ｍｍ、補正電極板の厚みは０.７ｍｍである。
【００３６】
なお、衝立状電極板４０、４１は、上記のように集束電極２７及び最終加速電極２８との対向部分に形成されたギャップ側に突き出すように、このギャップ側に面する面側に設けることで、上記補助レンズによるレンズ作用が最大限に生かされることになる。つまり、衝立状電極板の先端を電位勾配の急峻な前記ギャップに近い位置に設けることで、レンズ電界に対する感度を高められる。ただし、あまり近づけ過ぎると、厚みの薄い板材が低圧側に近接することになる結果、近接部分で放電が発生するなどの好ましくない現象が生じるので、その位置はかかる放電が生じない程度に制限される必要はある。なお、衝立状電極板の高さは高いほど先端がギャップに近づくのでダイナミック電圧を低減する効果は向上するが、本発明のように筒状部の内部に設けた補正電極板に衝立状電極板を設ける構成とすれば、衝立状電極板自体の高さを高くしなくとも先端をギャップに近づけることができるので、衝立状電極板の取り付け精度が高く維持され、その結果、衝立状電極板の先端の開き度合いのばらつきに起因した作用のばらつきを回避できるという利点もある。
【００３７】
また、スクリーン側の４極レンズ５３、５４、５５と、陰極側の４極レンズ５６、５７、５８の二重四極子の効果により水平方向のレンズ倍率を小さく、垂直方向のレンズ倍率を大きくすることができるという効果も奏することから、非点収差が更に補正され電子ビームスポットが横長に歪むという問題を更に抑制することができる。
【００３８】
なお、電子銃を以下の構成とすることもできる。図９は、この変形例のインライン型電子銃の構成を示す平面図である。
この図に示すように、変形例では、上記のインライン型電子銃において集束電極２７と最終加速電極２８との間に中間電極７０を備えている。ここには、抵抗R１を介して電位Ｖｍ２が印加される。このような構成により、上記した作用・効果に加えて電界レンズが管軸方向に拡張されるため、実効的なレンズ口径を更に大きくすることが可能となる。なお、かかる構成・効果等については特開平８−２２７８０号公報に詳しい。
【００３９】
[実施形態２]
次に、本発明の第二の実施形態について説明する。
図１０は、本実施形態に係るインライン型電子銃の構成を示す平面図であり、図１１にそのレンズモデルを示した。
実施形態１との相違点は、補正電極板２７Bにも、一対の衝立状電極板６０、６１が上記同様に、集束電極２７及び最終加速電極２８との対向部分に形成されたギャップ側に突き出すように、このギャップ側に面する面側に設けてある。
【００４０】
かかるに構成により、図１１に示すような図５のレンズに加えて主レンズよりも低圧側に水平方向で発散作用（凹レンズ）、垂直方向で集束作用（凸レンズ）を有する４極レンズ６６，６７、６８が生成される。
このレンズにより、主レンズの球面収差の影響が大きな低圧部において水平方向の集束力が弱まるため、スポット特性に最も影響する水平方向の球面収差を弱めることが可能となる。
【００４１】
また、陰極側の４極レンズ５６、５７、５８の強さは、電極２７と２８との間での電位差により決まり、レンズ作用を強めようとすれば放電等の問題を生じることから電位差を大きくするには制限があるため、陰極側の４極レンズ５６、５７、５８の強さにはおのずと限界がある。しかし、前記主レンズ低圧側のレンズ６６、６７、６８が補助的に陰極側の４極レンズ５６、５７、５８を強める働きをするため、かかる制限を受けることなく、ＨＶ差をより大きくすることができる（二重４極子の効果を高める）。
【００４２】
[実施形態３]
次に、本発明の第三の実施形態について説明する。
図１２は、本実施形態に係るインライン型電子銃の構成を示す平面図である。この図に示すように本インライン型電子銃では、実施形態１のインライン型電子銃において、シールドカップに凸部２９Ａを形成しこの部分を最終加速電極内に突入させ、その底部２９Ｂが前記補正電極板として機能させる構成としてある。
つまり、電子ビームがほぼ垂直に通過するように配置された前記補正電極に設けたのと同じ３つの孔を底部２９Ｂに形成したシールドカップを筒状外周電極内部の中ほどまでその底部２９Ｂが位置するように挿入させてある。そして、その底部２９Ｂに上記同様に衝立状電極板４０、４１を設けてある。
【００４３】
このような構成により、上記した作用・効果を奏するとともに、シールドカップを筒状部に嵌め込むと同時にその内部へ補正電極を配置することができるので、電子銃の組立を容易に行うことができる。
なお、実施形態２、３は各単独で実施することもできるが、それらを相互に組み合わせるとしても良い。これにより相乗的な効果が得られる。
【００４４】
また、上記説明のように、本発明では、ダイナミック電圧を印加する技術に特に有効であるが、これに限ったものではない。電極にダイナミック電圧を印加しない電子銃においても、ＨＶ差の調整手段として適用することは可能である。
【００４５】
【発明の効果】
以上説明してきたとおり、本発明のカラー受像管装置によれば、衝立状電極板を設けるという設計上困難性を伴わない手法によって、従来の主レンズ系に加えて衝立状電極板の付加による補助レンズを付加形成して、主レンズにおいて水平方向と垂直方向での集束力の差を拡大させて、その結果、ダイナミック電圧をよりいっそう低減させることが可能となる。
【図面の簡単な説明】
【図１】実施形態に共通なカラー受像管の構成を示す水平走査方向への断面図である。
【図２】実施形態１のインライン型電子銃の構成を示す斜視図である。
【図３】図２のインライン型電子銃の構成を示す平面図である。
【図４】補正電極板及び衝立状電極板の構成を示す正面図及び側面図である。
【図５】実施形態１のインライン型電子銃における主たるレンズ構成を示すモデル図である。
【図６】従来例（衝立状電極板がない場合）のインライン型電子銃における主たるレンズ構成を示すモデル図である。
【図７】補正電極板からの衝立状電極板の高さの変化に対するHV差（ここでは、水平方向フォーカス電圧と垂直方向フォーカス電圧の差を示す）の変化を示す図である。
【図８】  HV差を変化させたときの、ダイナミック電圧の変化と、水平スポット径の変化を示す図である。
【図９】実施形態１のインライン型電子銃の変形例の構成を示す平面図である。
【図１０】実施形態２のインライン型電子銃の構成を示す平面図である。
【図１１】実施形態２のインライン型電子銃における主たるレンズ構成を示すモデル図である。
【図１２】実施形態３のインライン型電子銃の構成を示す平面図である。
【図１３】従来のインライン型電子銃（ＯＬＦレンズ構成）の構成を示す平面図である。
【符号の説明】
２０  インライン型電子銃
２７  集束電極
２７Ａ  筒状外周電極
２７Ｂ  補正電極板
２８  最終加速電極
２８Ａ  筒状外周電極
２８Ｂ  補正電極板
２９  シールドカップ
２９Ａ  凸部（シールドカップ部分）
２９Ｂ  底部（シールドカップ部分）
４０、４１，６０、６１  衝立状電極板
５０〜５８  主レンズ（４極レンズ）
５３〜５５  補助レンズ（主レンズを構成）
６６〜６８  ４極レンズ（衝立状電極板６０、６１によって発生）
７０  中間電極
【図１】
0004189227.tif 000002
【図２】
0004189227.tif 000003
【図３】
0004189227.tif 000004
【図４】
0004189227.tif 000005
【図５】
0004189227.tif 000006
【図６】
0004189227.tif 000007
【図７】
0004189227.tif 000008
【図８】
0004189227.tif 000009
【図９】
0004189227.tif 000010
【図１０】
0004189227.tif 000011
【図１１】
0004189227.tif 000012
【図１２】
0004189227.tif 000013
【図１３】
0004189227.tif 000014